(57)【要約】【課題】  非接触型の情報記録媒体との間で情報通信を行う無線端末に、光による広告機能を簡単に付加できる無線端末用装着体を提供する。【解決手段】  装着体２０は、非接触型のＩＣカード１２との間で電波を送受信して情報通信を行う無線端末１１に装着されるものであり、無線端末１１からの電波によって誘導起電力を発生するアンテナ部２８を有する。また、装着体２０は、アンテナ部２８で発生した誘導起電力によって光を発するＬＥＤ３１と、ＬＥＤ３１の光を任意の方向に導く導光板３２と、導光板３２で導かれた光を導光板３２の表面から装着体２０の外部に向けて発光させる光拡散部と、導光板３２の表面および裏面のうち少なくとも一方の面に設けられるクリア層と、を有する。【選択図】  図１
2013238703.tif 000002
【特許請求の範囲】
【請求項１】
非接触型の情報記録媒体との間で電波を送受信して情報通信を行う無線端末に装着される装着体であって、
前記無線端末からの電波により誘導起電力を発生するアンテナ部と、
前記誘導起電力によって駆動され光を発する発光素子と、
前記発光素子の光を任意の方向に導く導光部材と、
前記導光部材で導かれた光を前記導光部材の表面から前記装着体の外部に向けて発光させる光拡散部と、
前記導光部材の表面および裏面のうち少なくとも一方の面に設けられるクリア層と、を有することを特徴とする無線端末用装着体。
【請求項２】
前記クリア層は、前記導光部材の屈折率よりも低い屈折率を有することを特徴とする請求項１に記載の無線端末用装着体。
【請求項３】
前記光拡散部は、前記導光部材に印刷されるインクであることを特徴とする請求項１または２に記載の無線端末用装着体。
【請求項４】
前記光拡散部は、複数設けられて文字あるいは模様を形成し、
前記文字あるいは前記模様は、前記発光素子の発光時に発光することを特徴とする請求項１〜３のいずれかに記載の無線端末用装着体。
【請求項５】
前記光拡散部に導かれた光を前記装着体の外部に有効に発光させるための反射材層を有することを特徴とする請求項１〜４のいずれかに記載の無線端末用装着体。
【請求項６】
前記導光部材が内蔵され所定の表示を備える表示部を有することを特徴とする請求項１〜５のいずれかに記載の無線端末用装着体。
【請求項７】
前記表示部は、前記アンテナ部に対して着脱可能であることを特徴とする請求項６に記載の無線端末用装着体。
【請求項８】
前記導光部材の表面側には、広告が印刷された加飾フィルムが設けられることを特徴とする請求項１〜７のいずれかに記載の無線端末用装着体。
【請求項９】
前記アンテナ部の裏側には、接着剤が塗布されており、
前記アンテナ部は、前記接着剤によって前記無線端末の表面に貼り付けられることを特徴とする請求項１〜８のいずれかに記載の無線端末用装着体。
【発明の詳細な説明】
【技術分野】
【０００１】
本発明は、無線端末用装着体に関し、より詳細には、非接触型の情報記録媒体との間で情報通信を行う無線端末に装着される装着体に関する。
【背景技術】
【０００２】
従来、光を用いた広告（たとえば、電光掲示板など）が広く利用されている。この種の広告では、光によって広告自体が目立ち、しかも反復訴求による効果が得られるため、商品やサービスついて、訴求力の高い宣伝広告を行うことができる。
【０００３】
近年、このような光を用いた広告を、より多くの人に対して効果的に行いたいという要望が高まっている。このような要求に応えるには、公共に広く普及している装置や物品に、光による広告機能を付与することが好適である。
【０００４】
公共に広く普及している装置として、一般にＲＦ（Radio Frequency）端末と呼ばれる無線端末がある。この無線端末では、非接触型のＩＣ（Integrated Circuit）カードや携帯電話との間で情報通信を行い、これにより、電子マネーの決済などを行う。このような無線端末は、たばこや清涼飲料の自動販売機、あるいは、駅の自動改札や販売店のレジなど、様々な場所に設置されており、利用分野も拡大している。このように広く普及し、多くの人の目に止まる無線端末に、光による広告機能を付与できれば、より効果的な広告を行うことができる。
【０００５】
特許文献１には、非接触型のＩＣカードにスピーカーを設け、ＩＣカードと無線端末との処理結果について、音声情報をスピーカーから出力できるようにした音声出力機能付きＩＣカードが開示されている。この特許文献１に開示される技術のように、ＩＣカードなどの情報記録媒体に対しては、通信機能以外の新たな機能を付与する技術がある。
【先行技術文献】
【特許文献】
【０００６】
【特許文献１】特開２００２−２２２３９６号公報
【発明の概要】
【発明が解決しようとする課題】
【０００７】
しかしながら、従来、上述した無線端末に対しては、通信機能以外の新たな機能を付与した技術はない。したがって、光を用いた広告機能を無線端末に付与するためには、新規の技術開発が必要になる。
【０００８】
そこで、本発明は、このような事情に鑑みてなされたものであり、その目的は、光による広告機能を無線端末に簡単に付加することができる無線端末用装着体を提供することにある。
【課題を解決するための手段】
【０００９】
本発明の無線端末用装着体は、非接触型の情報記録媒体との間で電波を送受信して情報通信を行う無線端末に装着される装着体であって、前記無線端末からの電波により誘導起電力を発生するアンテナ部と、前記誘導起電力によって駆動され光を発する発光素子と、前記発光素子の光を任意の方向に導く導光部材と、前記導光部材で導かれた光を前記導光部材の表面から前記装着体の外部に向けて発光させる光拡散部と、前記導光部材の表面および裏面のうち少なくとも一方の面に設けられるクリア層と、を有することを特徴とする。
【００１０】
上記発明の無線端末用装着体では、前記クリア層は、前記導光部材の屈折率よりも低い屈折率を有することを特徴とする。
上記発明の無線端末用装着体では、前記光拡散部は、前記導光部材に印刷されるインクであることを特徴とする。
上記発明の無線端末用装着体では、前記光拡散部は、複数設けられて文字あるいは模様を形成し、前記文字あるいは前記模様は、前記発光素子の発光時に発光することを特徴とする。
上記発明の無線端末用装着体は、前記光拡散部に導かれた光を前記装着体の外部に有効に発光させるための反射材層を有することを特徴とする。
【００１１】
上記発明の無線端末用装着体は、前記導光部材が内蔵され所定の表示を備える表示部を有することを特徴とする。
上記発明の無線端末用装着体では、前記表示部は、前記アンテナ部に対して着脱可能であることを特徴とする。
上記発明の無線端末用装着体は、前記導光部材の表面側には、広告が印刷された加飾フィルムが設けられることを特徴とする。
上記発明の無線端末用装着体は、前記アンテナ部の裏側には、接着剤が塗布されており、前記アンテナ部は、前記接着剤によって前記無線端末の表面に貼り付けられることを特徴とする。
【発明の効果】
【００１２】
本発明によれば、無線端末から発生する電波を拾い、この電波を利用して発光素子を発光させ、発光素子からの光を、導光部材および光拡散部を介して装着体の外部に発光させることができる。したがって、装着するだけで、光による広告機能を無線端末に簡単に付加できる無線端末用装着体が提供される。
【図面の簡単な説明】
【００１３】
【図１】本発明にかかる第１実施形態の無線端末用装着体を備えた無線通信システムの全体構成を示す斜視図である。
【図２】無線端末用装着体を無線端末に装着した状態を示す斜視図である。
【図３】図１に示された無線端末用装着体を平面状に展開した展開図であり、（ａ）は平面図、（ｂ）は平面断面図である。
【図４】図１に示された無線端末用装着体の内部構成を示すブロック図である。
【図５】（ａ）は、図３のＡ−Ａ線断面図、（ｂ）は、（ａ）のＢ部拡大図である。
【図６】光拡散部の構成を説明するための図であり、表示部の分解図である。
【図７】図１に示された無線端末用装着体の作用説明図であり、（ａ）は表示部の断面図、（ｂ）は無線端末用装着体の正面図である。
【図８】第２実施形態の無線端末用装着体を示す図であり、図５（ｂ）に対応する図である。
【図９】第３実施形態の無線端末用装着体を示す図であり、図５（ｂ）に対応する図である。
【図１０】第４実施形態の無線端末用装着体を備えた自動販売機の斜視図である。
【図１１】第５実施形態の無線端末用装着体の構成を示す図である。
【発明を実施するための形態】
【００１４】
（第１実施形態）
以下、添付図面を参照して、本発明を実施するための第１実施形態について詳細に説明する。なお、実施形態の説明の全体を通して同じ要素には同じ番号を付している。また、図中および実施形態において、「前」、「後」は、各々、無線端末用装着体に正対する購買者から見たときの「手前側」、「奥側」の方向を示す。
【００１５】
第１実施形態は、本発明の無線端末用装着体（以下、「装着体」という）を、商品やサービスなどの広告を行うＰＯＰ（Point Of Purchase）表示体に用いた例である。
【００１６】
図１は、第１実施形態の装着体を備えた無線通信システムを示す斜視図である。
図１に示すように、無線通信システム１０は、無線端末（ＲＦ端末）１１と、非接触型のＩＣカード（情報記録媒体の一例）１２とを有する。そして、無線端末１１には、装着体２０が装着される。
【００１７】
無線端末１１は、たとえば販売店のレジに設置され、電子マネーの決済処理などを行うためのリーダ／ライタ装置である。無線端末１１の上面には、平面状の読み取り面１３が設けられる。読み取り面１３には、ＩＣカード１２をかざす位置を購買者に認識させるための表示（ここでは、「タッチしてください」の文字）が施される。また、この読み取り面１３からは、無線端末１１に内蔵されたアンテナ部１１ａ（図４参照）によって所定の周波数の電波が発生する。無線端末１１は、ＩＣカード１２との間で電波を送受信することにより、ＩＣカード１２に対してデータの読み取り・書き込みを行う。
【００１８】
なお、この例では、無線端末の一例としては、単体の無線端末１１を示したが、無線端末は、たとえば会計用のレジなどに一体化されたものでもよく、形態は任意である。また、情報記録媒体の一例として、ＩＣカード１２を示したが、情報記録媒体は、たとえば携帯電話でもよく、種類は任意である。
【００１９】
次に、装着体２０の全体構成を図２に基づいて説明する。
図２は、図１において、装着体２０を無線端末１１に装着した状態を示す図である。図２に示すように、装着体２０は、無線端末１１の読み取り面１３（図１参照）に載置される取り付け部２１と、取り付け部２１の後端に折り曲げ線２２を介して連なる連結部２３と、連結部２３の上端に折り曲げ線２２を介して連なる広告表示部（表示部の一例）２５とを有する。装着体２０は、平板状の薄い積層体を折り曲げ線２２で折り曲げることで、図２に示した形態に形成される。なお、折り曲げた装着体２０には、必要に応じて、形態を保持するための補強部材を設けてもよい。
【００２０】
取り付け部２１は、平面視で長方形状を呈し、読み取り面１３（図１参照）のほぼ全体を覆う大きさに形成される。また、取り付け部２１の上側には、読み取り面１３（図１参照）と同じ表示（ここでは、「タッチしてください」の文字）２６が施されている。これにより、読み取り面１３（図１参照）が取り付け部２１で覆われても、購買者は、表示２６によりＩＣカード１２をかざす位置を認識することができる。取り付け部２１を読み取り面１３（図１参照）に取り付けるための手段は、接着や嵌合など各種の手段から選択可能である。
【００２１】
広告表示部２５は、連結部２３の上端から後上方に傾斜するように設けられる。これにより、広告表示部２５の前面は、前上方に向き、購買者の顔に指向している。広告表示部２５の前面側には、広告を目的とした表示２７が施される。この表示２７は、商品やサービスなどに関連する文字や模様により形成される。ここで、「模様」とは、絵やキャラクター、図形、記号、写真あるいはこれらの組み合わせなどを含む。この例では、表示２７は、走る人の絵で構成される。また、広告表示部２５の前面には、任意の文字や模様（この例では、「爽快」の文字）を形成する透光部２７ａが設けられる。なお、このような広告表示部２５は、搖動する広告体（いわゆるスイングＰＯＰ）に構成してもよい。
【００２２】
次に、装着体２０の内部構成を図３、図４に基づいて説明する。
図３（ａ）は、図１に示された装着体２０を平面状に展開したときの平面図であり、図３（ｂ）は、装着体２０の内部構成を示す平面断面図である。図４は、図２に示された装着体２０の内部構成を示すブロック図である。
【００２３】
図３（ａ）に示すように、装着体２０の取り付け部２１には、アンテナ部２８が内蔵される。一方、広告表示部２５には、ＬＥＤ（発光素子の一例）３１と導光板（導光部材の一例）３２が内蔵される。
【００２４】
図３（ｂ）に示すように、アンテナ部２８は、アンテナ回路３３を構成するコイルアンテナであり、長方形の取り付け部２１の周方向に沿って渦巻き状に形成される。図４に示すように、アンテナ部２８は、取り付け部２１が無線端末１１に取り付けられた状態において、無線端末１１のアンテナ部１１ａからの電波（矢印（１）で示す）により、誘導起電力を発生する。なお、取り付け部２１を通過した電波（矢印（２）で示す）は、ＩＣカード１２（図１参照）との送受信に用いられる。
【００２５】
図３（ｂ）に戻る。図３（ｂ）に示すように、ＬＥＤ３１は、発光回路３５に搭載される。発光回路３５は、アンテナ回路３３に接続される。ＬＥＤ３１は、広告の内容に応じて、所定の色の光を所定のタイミングで発する。発光回路３５では、アンテナ部２８で発生した誘導起電力をコンデンサに必要量蓄え、この蓄えた電力を使用してＬＥＤ３１を発光させることも可能である。
【００２６】
なお、無線端末１１（図１参照）には、電波を常時発するタイプや、電波を断続的に発するタイプあるいはＩＣカード１２（図１参照）と通信するときのみに電波を発するタイプなどがある。このため、ＬＥＤ３１から光を発生させるタイミングは、無線端末１１のタイプに従って適宜設定される。
【００２７】
次に、装着体２０の積層構造を図５に基づいて説明する。
図５（ａ）に示すように、装着体２０の裏面側には、ベースフィルム３６が設けられ、装着体２０の表面側には、ベースフィルム３６と同一の平面形状の加飾フィルム３７が設けられる。
【００２８】
取り付け部２１においては、ベースフィルム３６の上にアンテナ回路３３が設けられ、アンテナ回路３３の上に加飾フィルム３７が積層される。
【００２９】
一方、広告表示部２５においては、図５（ｂ）に示すように、ベースフィルム３６の表面側に反射材層３８が積層され、この反射材層３８の表面側には、発光回路３５およびＬＥＤ３１が設けられる。反射材層３８と加飾フィルム３７の間には、導光板３２が配置されている。導光板３２の裏面には、部分的に光拡散部４１が突出して形成されている。また、導光板３２の表面側および裏面側のそれぞれには、表面側クリア層４２および裏面側クリア層４３が積層される。そして、加飾フィルム３７は、表面側クリア層４２を覆うように積層される。
【００３０】
以下、装着体２０の各層の構成を図５（ｂ）に基づいてさらに詳しく説明する。
ベースフィルム３６は、ポリエチレンテレフタレート樹脂、ポリ塩化ビニル樹脂、アクリロニトリルブチレンスチレン樹脂、ポリカーボネート樹脂、ポリプロピレン樹脂、ポリエチレン樹脂、ポリスチレン樹脂、シクロオレフィンポリマーなど、あるいは、これらのアロイに、酸化チタン、マイカ、炭酸カルシウム、カーボンなどのフイラーや劣化を防ぐ添加剤などを混ぜた材料からなるシートで構成される。
【００３１】
反射材層３８は、ポリエチレンテレフタレート樹脂、ポリ塩化ビニル樹脂、アクリロニトリルブチレンスチレン樹脂、ポリカーボネート樹脂、ポリプロピレン樹脂、ポリエチレン樹脂、シクロオレフィンポリマー樹脂やこれらのアロイに、酸化チタン、チタン酸バリウム、硫酸バリウム、マイカ、炭酸カルシウムなどの金属酸化物あるいは金属粉を混ぜた材料で成形したシート、または、金属酸化物あるいは金属粉を混ぜた材料を印刷したシートなどで構成される。なお、反射材層３８を構成する材料に、異なる屈折率の材料を混ぜて白くしたり、炭酸ガスや窒素ガスが発生する発泡材を混ぜたり、空気を強制的に混ぜたりして反射率を高め、反射率を光拡散部４１の拡散剤（後述）より大きく設定してもよい。また、反射材層３８およびベースフィルム３６は、反射材層３８とベースフィルム３６を兼用する１個の部品（シート）で構成しても差し支えない。
【００３２】
ＬＥＤ３１は、反射材層３８から加飾フィルム３７側に向けて突出して設けられる。ＬＥＤ３１には、側面から光を出射するタイプを使用することが好ましい。ＬＥＤ３１は、任意の箇所に配置可能であるが、ここでは、広告表示部２５の端部に配置される。ＬＥＤ３１の接続には、はんだや、はんだペースト、導電性接着剤、異方導電性接着剤などを用いる。なお、この例では、側面から光を出射するタイプのＬＥＤ３１を用いるが、ＬＥＤ３１は、広告の内容に応じて各種のタイプから選択可能である。
【００３３】
導光板３２は、ＬＥＤ３１が嵌る貫通穴３２ａを有する。導光板３２は、たとえば、塩化ビニル樹脂、アクリル樹脂、ポリカーボネート樹脂、スチレン樹脂、アクリロニトリルブチレンスチレン樹脂、ポリエチレンテレフタレート樹脂、トリアセチルセルロース樹脂、ポリアリレート樹脂、ポリプロピレン樹脂、ウレタン樹脂、シクロオレフィンポリマー樹脂およびこれらのアロイなどから構成されている。
【００３４】
光拡散部４１では、ＬＥＤ３１から導光板３２に入射して導かれた光を、導光板３２の表面から加飾フィルム３７の外部に向けて出射させる。光拡散部４１は、たとえば１〜４０μｍの範囲内の厚さで形成されており、微細な光拡散材を含む印刷層を導光板３２の裏面に形成することによって得ることができる。この場合、拡散性に優れる酸化チタン、シリカ、マイカ、チタン酸バリウム、硫酸バリウム、炭酸カルシウム、長石の粉砕品などを含む樹脂をバインダーとするインク（たとえば、ＣＨＥＭＲＩＣＨ社製、製品名「ＣＲＩ−ＯＶＥＲ００１」）を使用するのが好ましい。バインダーには、アクリル系樹脂、ウレタン系樹脂、ポリエステル系樹脂、酢酸ビニル系樹脂、ポリカーボネート系樹脂などが挙げられ、変性ポリウレタン樹脂、変性ポリエステル樹脂、変性ポリアクリロニトリル樹脂が含まれる。
【００３５】
また、光拡散部４１は、複数設けられて、文字あるいは模様を形成する。この例では、図６に示すように、光拡散部４１は、加飾フィルム３７を導光板３２に重ねたときに透光部２７ａの形態と一致する「爽快」の文字を形成する。光拡散部４１は、たとえば、マトリックス状に配置されたドットの集合体として構成される。この場合、文字あるいは模様を形成するパターンは、ドットのポジ形状、ネガ形状、斜線形状などとする。ドットの形成には、白系の発光インクを用いることが好ましいが、色の付いた発光を得るために赤系の顔料などを若干混ぜたインクを用いてもよい。
【００３６】
なお、この例では、光拡散部４１を導光板３２の裏面に設けたが、光拡散部４１を設ける位置は、格別に導光板３２の裏面に限定されるものではない。たとえば、導光板３２の裏面に透明な材料で形成した層を設け、この透明な層に光拡散部４１を印刷などにより形成してもよい。要は、導光板３２で導かれた光を導光板３２の表面から光拡散部４１によって出射させることができれば、光拡散部４１を設ける位置は任意である。
【００３７】
図５（ｂ）に戻る。導光板３２の裏面と光拡散部４１との段差を無くすため、導光板３２の裏側をフラット形状にしたい場合には、光拡散部４１の周囲に透明性の樹脂を塗布してもよい。この場合、導光板３２において光を良好に通過させ、高い輝度を得るため、透明性の樹脂には、導光板３２よりも屈折率が低い材料を用いることが好ましい。
【００３８】
表面側クリア層４２および裏面側クリア層４３は、導光板３２の内部において光を効率的に通過させるための層である。仮に、導光板３２の屈折率と同じ屈折率を有する材料で、表面側クリア層４２および裏面側クリア層４３を構成すると、表面側クリア層４２および裏面側クリア層４３が導光板３２に一体化してしまい、導光板３２の表面あるいは裏面から光が漏れてしまう。このような光の漏れを防いで、導光板３２の内部において光ファイバーのように光を良好に通過させるためには、表面側クリア層４２および裏面側クリア層４３の屈折率は、導光板３２の屈折率とは異なることが望ましく、より好ましくは、導光板３２の屈折率よりも低く設定されることが望ましい。
【００３９】
これら表面側クリア層４２および裏面側クリア層４３には、透明性を有する各種樹脂材料、インク、接着剤、粘着剤を用いることができる。たとえば、表面側クリア層４２および裏面側クリア層４３には、アクリル系樹脂、ウレタン系樹脂、ポリエステル系樹脂、エポキシ系樹脂、シリコーン系樹脂、ポリアミド系樹脂などを用いることができる。また、表面側クリア層４２および裏面側クリア層４３には、感圧接着型、熱硬化型、ＵＶ硬化型、湿気硬化型、ホットメルト型などの各種のタイプの接着剤や粘着剤を用いてもよい。
【００４０】
また、表面側クリア層４２および裏面側クリア層４３は、空気層でもよい。特に、加飾フィルム３７や導光板３２を取り外し可能にする必要がある場合には、少なくとも表面側クリア層４２は、空気層で形成することが望ましい。この場合、加飾フィルム３７と導光板３２との間にスペーサ４５を介在させて隙間を形成し、この隙間（空気層）を表面側クリア層４２として構成することができる。
【００４１】
スペーサ４５を設ける手段は、任意の手段から選択可能である。たとえば、導光板３２あるいは加飾フィルム３７に印刷された微細なドットでスペーサ４５を形成することができる。また、導光板３２の外周部のみに設けた両面テープや、面ファスナー、磁石、粘着剤でスペーサ４５を構成してもよい。
【００４２】
加飾フィルム３７は、ベースフィルム３６に対して、取り外し不可能に取り付けてもよいし、または、着脱可能に取り付けてもよい。加飾フィルム３７をベースフィルム３６に取り付ける手段は、嵌合や熱圧着による取り付け、あるいは、面ファスナーや磁石、粘着剤、両面テープ、接着剤を用いた取り付けなど、任意の手段から選択可能である。加飾フィルム３７の裏面には、取り付け部の表示２６（図１参照）および広告表示部の表示２７（図１参照）などが印刷される。
【００４３】
加飾フィルム３７の材質としては、ポリ塩化ビニル樹脂、アクリル樹脂、ポリカーボネート樹脂、スチレン樹脂、アクリロニトリルブチレンスチレン樹脂、ポリエチレンテレフタレート樹脂、ポリアリレート樹脂、ポリプロピレン樹脂、ウレタン樹脂、シクロオレフィンポリマー樹脂およびこれらのアロイなどから構成されている。また、加飾フィルム４１の表面には、耐光性を高めるために、アクリル樹脂やポリフッ化ビニリデン樹脂などのフィルムを積層してもよい。
【００４４】
加飾フィルム３７の透光部２７ａは、光拡散部４１からの光を装着体２０の外部に透過させる部分であり、たとえば、有色透明や無色透明、有色半透明、無色半透明など透明性を有する材料で構成される。透光部２７ａ以外の領域は、遮光性の材料で構成される。
【００４５】
以上のように薄い積層体で構成される装着体２０において、アンテナ部２８を含む回路を形成する方法には、ＦＰＣ（Flexible Printed Circuits）を用いる方法と、反射材層３８に回路を印刷する方法の２つの方法が考えられる。
【００４６】
ＦＰＣを用いる方法では、ＦＰＣの基材として、ポリイミド、ポリエチレンテレフタレート樹脂、ポリアリレート樹脂などからなる材料を用い、回路部分には、銅やアルミ、酸化インジウムスズ（ITO）、ステンレス、ニッケル、チタン、シリコーンなどを用いて、回路パターンをエッチングして作製した後、ホットメルトや感圧接着剤、２液硬化型接着剤などを用いて、ＦＰＣを反射材層３８に貼り付ける。ＦＰＣの不要な部分は切り取る。
【００４７】
一方、反射材層３８に回路を印刷する方法では、上述したシートにより構成される反射材層３８に、金や銀、銅、アルミペースを用いて、回路パターンとＬＥＤ３１の接続箇所を印刷する。
【００４８】
ここで、装着体２０の製造方法の一実施例を説明する。
【００４９】
（導光板３２の作製）
まず、０．２ｍｍの厚さの導光板（ポリカーボネート樹脂、帝人化成社製、製品名パンライト、屈折率１．５８）３２に、拡散性インク（ＣＨＥＭＲＩＣＨ社製、製品名ＣＲＩ−ＯＶＥＲ００１）でφ０．３〜φ０．１８のドットを広告用に光学設計されたパターンをスクリーン印刷で印刷し、６０℃１５分間オーブンにて乾燥し、膜厚５μｍの光拡散部４１を得る。そして、導光板３２の印刷面（裏面）にポリカーボネート樹脂より屈折率の低いアクリル系ＵＶインク（セイコーアドバンス社製、製品名ＵＶ−５４１０、屈折率１．４９）をスクリーン印刷で印刷し、ＵＶ照射装置を通過させ、膜厚２０μｍの裏面側クリア層４３を得る。
【００５０】
（装着体２０の組み立て）
ＦＰＣに、ＬＥＤ３１や抵抗などを実装済みで、アンテナ回路３３などを備えた材料を準備し、白色の接着剤が付着されたポリエチレンテレフタレート樹脂製のベースフィルム３６を所定の形状にカットした。次に、このカットしたベースフィルム３６の所定の位置にＦＰＣを貼り付けた。さらに、この上に印刷面を下に向けた導光板３２をＬＥＤ３１の位置を合わせながら貼り付けた。そして、インクジェットで印刷を施した加飾フィルム（たとえば、インクジェット用のコーティングが施されたポリエチレンテレフタレート樹脂製のフィルム）３７を所定の形状にカットし、このカットした加飾フィルム３７の外周に両面テープ（スペーサ４５）を貼り付け、この両面テープの厚みによって導光板３２との間に表面側クリア層４２を形成するようにして、加飾フィルム３７を積層した。
【００５１】
以上、説明した装着体２０の作用・効果を図７に基づいて説明する。
装着体２０の取り付け部２１を無線端末１１の読み取り面１３に装着すると、アンテナ部２８で誘導起電力が発生し、この誘導起電力によってＬＥＤ３１が発光する。
【００５２】
図７（ａ）に示すように、ＬＥＤ３１から発光された光は、貫通穴３２ａの周面から導光板３２の内部に入射する。入射した光は、導光板３２の表面および裏面で反射を繰り返して導光板３２の内部を通る（矢印（３））。導光板３２の内部で反射する光の一部は、光拡散部４１にて拡散し、導光板３２の表面から透光部２７ａを介して装着体２０の外部に出射する（矢印（４））。すると、この出射した光によって、図７（ｂ）に示すように、購買者側では、透光部２７ａの「爽快」の文字が浮き出るように見える。
【００５３】
このように、無線端末１１に装着体２０を装着するだけで、広告の内容に応じた光を光拡散部４１から発光させることができる。したがって、無線端末１１に、訴求力の高いＰＯＰ表示体を設置することができる。また、無線端末１１に装着体２０を後付けできるので、無線端末１１を改良する必要がない。したがって、公共に広く普及した既設の無線端末１１に、光を用いた効果的な広告機能を簡単に付加することができる。
【００５４】
また、無線端末１１からの電波により、ＬＥＤ３１を駆動するため、装着体２０には電源が要らない。すなわち、無線端末１１から発する電波を有効活用して、省エネルギーに寄与することができる。
【００５５】
さらに、表面側クリア層４２および裏面側クリア層４３で導光板３２を挟み、かつ、表面側クリア層４２および裏面側クリア層４３の屈折率を導光板３２の屈折率よりも低く設定したので、導光板３２の表裏の界面で光が良好に反射する。これにより、光拡散部４１に至る導光路において、導光板３２の外部に光が漏れることを抑制することができ、光拡散部４１における発光の輝度を高めることができる。
【００５６】
これに加え、光拡散部４１からベースフィルム３６側に向く光が反射材層３８に反射される。この反射材層３８の作用によっても光の漏れが防止でき、光拡散部４１から透光部２７ａに出射する光をより多く確保でき、光拡散部４１における発光の輝度を一層高めることができる。
【００５７】
（第２実施形態）
次に、本発明にかかる第２実施形態の装着体を図８に基づいて説明する。
図８は、第２実施形態の装着体を示す図であり、図５（ｂ）に対応する図である。なお、前述した第１実施形態の装着体２０と同じ要素には同じ符号を付して、重複する説明を省略することとする（後述する第３〜第５実施形態についても同様）。
【００５８】
図５に示される装着体２０では、１枚の導光板３２を用いたが、図８に示すように、２枚の導光板３２，３２Ａを用いて装着体２０Ａを構成してもよい。この場合、表面側の導光板３２Ａの光拡散部４１Ａが良好に発光するように、２枚の導光板３２，３２Ａの間にスペーサ４５Ａを介在させて中間クリア層（クリア層）４６を形成する。さらに、裏面側の導光板３２に光を反射可能な反射材層（たとえば、アルミニウム蒸着層）３８Ａを設ける。この構成により、複数種の光拡散部４１，４１Ａを組み合わせることが可能となり、表示２７の種類を増やすことができる。結果、より一層効果的な広告を行うことができる。
【００５９】
（第３実施形態）
次に、本発明にかかる第３実施形態の装着体を図９に基づいて説明する。
図９に示すように、第３実施形態は、第１実施形態における広告表示部２５（図５（ａ）参照）と取り付け部２１（図５（ａ）参照）を重ねて、装着体２０Ｂをコンパクトに構成した例である。この例では、ＬＥＤ３１をアンテナ部２８Ｂの内側に配置する。ＬＥＤ３１は、第１実施形態と同様に、アンテナ部２８Ｂに発生する誘導起電力によって所定の光を発するように構成される。なお、加飾フィルム３７には、任意の広告を印刷などにより表示することが可能である。
【００６０】
この第３実施形態の装着体２０Ｂによれば、前述した第１実施形態と同様の作用効果を得ることができる。さらに、装着体２０Ｂをコンパクトに構成できるので、材料コストを下げることができる。また、設置スペースが狭い場所であっても、装着体２０Ｂを無線端末に設置し易い。
【００６１】
（第４実施形態）
次に、本発明にかかる第４実施形態の装着体を図１０に基づいて説明する。
第４実施形態は、本発明にかかる装着体を自動販売機に適用した例である。図１０に示すように、この自動販売機１５は、清涼飲料やたばこなどを販売するものであり、開閉可能な正面扉１６を有する。正面扉１６の左右一側（ここでは右側）には、電子マネーの決済や購買者の成人認証などを行うための無線端末１１Ｃが配置される。
【００６２】
第４実施形態の装着体２０Ｃは、無線端末１１Ｃの正面に取り付けられる取り付け部２１Ｃと、取り付け部２１Ｃの端部から左右他側（ここでは左側）に向けて形成される連結部２３Ｃと、連結部２３Ｃに連なり正面扉１６の他側に配置される広告表示部２５Ｃとを有する。第１実施形態と同様に、取り付け部２１Ｃには、アンテナ部が内蔵され、広告表示部２５Ｃには、ＬＥＤや導光板などが内蔵される。ＬＥＤは、連結部２３Ｃを介して取り付け部２１Ｃのアンテナ部と電気的に接続される。また、広告表示部２５Ｃには、所定の広告を表示するための表示２７および透光部２７ａが施される。
【００６３】
取り付け部２１Ｃを無線端末１１Ｃに取り付ける手段は、各種の手段から選択可能であるが、作業性やコストを考慮すると、取り付け部２１Ｃの裏面（アンテナ部の裏側）に接着剤を塗布し、この接着剤によって取り付け部２１Ｃを無線端末１１Ｃの表面に貼り付けることが好適である。すなわち、接着剤を用いる場合、ステッカーを貼り付けるように、取り付け部２１Ｃを無線端末１１Ｃに貼り付けることができるため、取り付け作業が容易であり、しかも、安価に取り付け部２１Ｃを取り付けることができる。なお、広告表示部２５Ｃを取り付ける手段についても、各種の手段から選択可能であるが、作業性やコストを考慮すると、広告表示部２５Ｃの裏面に接着剤を塗布し、この接着剤によって広告表示部２５Ｃを正面扉１６の表面に貼り付けることが好ましい。
【００６４】
取り付け部２１Ｃのアンテナ部は、無線端末１１Ｃからの電波を拾い、誘導起電力を発生する。この誘導起電力により、広告表示部２５Ｃでは、第１実施形態と同様に、ＬＥＤ、導光板および光拡散部によって、所定の光が透光部２７ａから発光される。
【００６５】
この第４実施形態によれば、前述した第１実施形態と同様の作用効果が得られることに加え、屋内・屋外を問わず公共に広く設置されている自動販売機１５に効果的な広告機能を付加することができる。
【００６６】
なお、屋外に設置される自動販売機などに対して、本発明の装着体を適用する場合、各種のカバー部材や各種のシール部材を用いて、装着体を雨露から保護するための防水対策を施すことが望ましい。
【００６７】
（第５実施形態）
次に、本発明にかかる第５実施形態の装着体を図１１に基づいて説明する。
図１１に示すように、第５実施形態の装着体２０Ｄは、たとえば自動販売機の無線端末（図１０、符号１１Ｃ）などに取り付けられる取り付け部２１Ｄと、広告表示部２５Ｄとを有する。取り付け部２１Ｄには、アンテナ部２８Ｄが内蔵され、かつ、接続コード４７ａが接続される。この接続コード４７ａの先端には、コネクタ４８ａが設けられる。広告表示部２５Ｄには、所定の広告を表示するための表示２７Ｄが設けられる。さらに、広告表示部２５Ｄには、ＬＥＤ３１、導光板３２および光拡散部（図示省略）が設けられ、かつ、接続コード４７ｂが接続される。この接続コード４７ｂの先端には、コネクタ４８ａに着脱可能なコネクタ４８ｂが設けられる。このコネクタ４８ｂをコネクタ４８ａに接続することで、ＬＥＤ３１は、第１実施形態と同様に、アンテナ部２８Ｄと電気的に接続される。
【００６８】
この第５実施形態によれば、前述した第１実施形態と同様の作用効果が得られることに加え、広告表示部２５Ｄのみを交換することができる。すなわち、コネクタ４８ａにコネクタ４８ｂを脱着することで、広告表示部２５Ｄを取り外し、別の広告表示部２５Ｄを取り付けることができる。したがって、表示や光の仕様が異なる別の広告に容易に変更することができる。また、広告表示部２５Ｄを変更しても、取り付け部２１Ｄ（アンテナ部２８Ｄ）は共用できるので、部品コストを抑えることができる。
【００６９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００７０】
たとえば、前述した各実施形態においては、１個の装着体を無線端末に装着したが、本発明は、これに限定されず、情報記録媒体と無線端末との通信を妨げない構成であれば、複数個の装着体を重ねてもよい。発光素子の個数についても、複数でもよく、求められる広告の内容に応じて任意に設定可能である。クリア層についても、導光部材の表面側あるいは裏面側に複数重ねて設けてもよい。
【００７１】
また、第１〜第５実施形態では、装着体２０，２０Ａ，２０Ｂ，２０Ｃ，２０Ｄを示したが、本発明の装着体は、これらの実施形態を適宜組み合わせたものであってもよい。
【００７２】
また、各実施形態では、販売店や自動販売機に設置される無線端末に本発明の装着体を適用した例を示したが、本発明の装着体は、たとえば、駅の自動改札やバスなどの交通機関の乗降口などに設置される無線端末にも適用可能であり、格別に装着対象を限定するものではない。さらに、本発明の装着体は、リーダ／ライタ装置の他、読み取り専用のリーダ装置など各種の無線端末に適用可能である。
【符号の説明】
【００７３】
１１，１１Ｃ……無線端末、１２……ＩＣカード（情報記録媒体）、２０，２０Ａ〜Ｄ……装着体（無線端末用装着体）、２５，２５Ｃ〜Ｄ……広告表示部（表示部）、２６，２７，２７Ｄ……表示、２８，２８Ｂ〜Ｄ……アンテナ部、３１……ＬＥＤ（発光素子）、３２，３２Ａ……導光板（導光部材）、３７……加飾フィルム、３８，３８Ａ……反射材層、４１，４１Ａ……光拡散部、４２……表面側クリア層（クリア層）、４３……裏面側クリア層（クリア層）、４６……中間クリア層（クリア層）。
【図１】
2013238703.tif 000003
【図２】
2013238703.tif 000004
【図３】
2013238703.tif 000005
【図４】
2013238703.tif 000006
【図５】
2013238703.tif 000007
【図６】
2013238703.tif 000008
【図７】
2013238703.tif 000009
【図８】
2013238703.tif 000010
【図９】
2013238703.tif 000011
【図１０】
2013238703.tif 000012
【図１１】
2013238703.tif 000013